(57)【要約】      （修正有）【課題】男性の身体的性機能を回復させるための装置を提供する。【解決手段】外付けされたスイッチ１１によって駆動されるバイブレータを内蔵したカプセル部１０を搭載する。カプセル部１０は通常のプラスティック材料で製作される。上記スイッチ１１は前進及び後進の操作を行うことによってカプセル１０の振動器（バイブレータ）の電源をＯＮ／ＯＦＦさせる。このようなカプセル部１０が本体２０の円筒形象の部分２１に掲載された状態で図示されているが、この円筒形象の部分２１はカプセル部分１０を脱着可能なように軟質の合成樹脂で作られている。【選択図】図１
0003112643.tif 000002
【実用新案登録請求の範囲】
【請求項１】
外付けされたスイッチ（１１）によって駆動される震動器（バイブレータ）を内蔵したカプセル部分（１０）と、このカプセル部分（１０）が着脱可能な軟質の合成樹脂材料で作られた円筒形象の部分（２１）と、この円筒形象の部分（２１）が所定部位に接し、弾力性ある環形の輪の模様（２２）の本体（２０）とともに作られていることを特徴とした男性用の性機能リハビリ装置。
【請求項２】
第１項において、カプセル部（１０）の円筒状の両端部（１３）が湾曲された構造を持っていて、両端部（１３）の所定位置に陷沒部（１３ａ）が形成されているのを特徴とする男性用性機能リハビリ装置。
【考案の詳細な説明】
【技術分野】
【０００１】本件の考案は男性の身体的性機能を回復させるための装置に関するもので、特に内蔵されたバイブレータから男性の性的交感神経を刺激して回復を図るとともに、性的機能が落ちた使用者の円満な性生活を可能にさせるための男性用性機能リハビリ装置に関するものである。
【考案の開示】
【考案が解決しようとする課題】
【０００２】一般的に、健康な人は６０歳以後も壮健な性生活ができるが、男性の場合、心身的な要因や健康上の理由によって勃起低下になったり早漏になったりして、円満な性生活をすることができなくなる傾向もある。女性の場合は更年期に入ると一般的刺激では分泌物が出ない傾向がある。
このような性生活障害は老年層でばかり問題されるのではない。通常、泌尿器科（Ｕｒｏｌｏｇｙ）患者の６０〜７０％が早漏症（Ｐｒｅｍａｔｕｒｅ  Ｅｊａｃｕｌａｔｉｏｎ）による苦痛を訴えており、この中で若年層の比重も相当多いという統計があり、このような早漏症及び性生活障害による男性のストレスはおびただしい。運動や健康食品で性機能を改善しようとする試みや、薬物治療や心理治療などで男性の早漏症を解決するための努力もあるが、このような努力は相当な時間と費用がかかる。
【課題を解決するための手段】
【０００３】本件の考案は男性の身体的性機能を回復させるための装置に関するもので、特に内蔵されたバイブレータから男性の性的交感神経を刺激して回復を図るとともに、性的機能が落ちた使用者の円満な性生活を可能にさせるための男性用性機能リハビリ装置に関するものである。運動や薬物または心理的な側面ではなく、器具的な側面からアプローチしていくことによって、費用と時間的な面での利点を得ることができる。また本考案は、その使用が容易でありながら、拒否感もなく、時間及び場所にも制約を受けない。
【考案の効果】
【０００４】本考案によると、老化または各種事故などから退化した男性の局部の交感神経系を、震動という刺激療法を通じてリハビリさせることで、円満な対人関係はもちろん、積極的な社会活動をはかるのに画期的な效果を発揮する。さらに、使用者が、局部の交感神経系のリハビリ及び早漏証治療のための時間・場所などの制約を受けないため、使用者の社会活動による経済的波及効果が非常に大きい考案である。
【考案を実施するための最良の形態】
【０００５】本考案は、外付けされたスイッチ（１１）によって駆動する震動器（バイブレータ）を内蔵したカプセル部分（１０）と、そのカプセルの着脱可能な弾力性を持った円筒形象の部分（２１）と、この円筒形象の部分（２１）がつけられた、弾力性ある環状の輪（２２）の本体（２０）とともに作られていることを特徴とした、男性用の性機能リハビリ装置である。また、本考案は上記の円筒形象の部分（２１）の外側表面と環形の輪のところに多数の突起があることも特徴である。また、本考案は上記カプセル部（１０）の円筒状の両端部（１３）が湾曲した構造を持っており、両端部（１３）の所定位置に陷沒部（１３ａ）があるので、円筒形象の部分へのカプセル部の挿入を容易なものとし、カプセル部が円筒形象部分内にしっかりと固定される構造になっている。
【実施例】
【０００６】  まず、図１に図示したように、本考案は外付けされたスイッチ（１１）によって駆動されるバイブレータ（１２）を内蔵したカプセル部（１０）を搭載する。カプセル部（１０）は通常のプラスティック材料で製作される。上記スイッチ（１１）は前進及び後進の操作を行うことによってカプセル（１０）の震動器（バイブレータ）の電源をＯＮ／ＯＦＦさせる。図１においては、このようなカプセル部（１０）が本体の（２０）の円筒形象の部分（２１）に搭載された状態で図示されているが、この円筒形象の部分（２１）はカプセル部分（１０）を脱着可能なように軟質の合成樹脂で作られている。
図２は、上記カプセル部分（１０）を外した状態である。円筒形象の部分（２１）は通常円筒形象で構成されると図示されている。しかし、必要によっては上記カプセル部（１０）の外形変更にしたがって多様な形として作ることもできる。また、円筒形象の部分（２１）は、男性の性器を挟めるくらいの弾力性がある環形の輪（２２）に付けられる。
図１に図示されたように、輪の部分（２２）を環状の形に構成することもできるが、図２に図示されたように１〜２ｃｍ程度の長さを持つ円筒形象に構成することもでき、また、必要によって輪の部分（２２）にはコンドームのような補助物の装着が可能であるため、これらが一体された構成も可能である。したがって，円筒形象の部分（２１）と輪の部分が（２２）組み立てられ、器具の本体（２０）を構成する。
ここで、円筒形象の部分（２１）の外側表面には多数の突起（２１ａ）が付いているが、このような突起（２１ａ）は円筒形象の部分（２１）の外側の表面につけるだけでなく、前面（使用者が器具を使用する時、前方を向ける円筒形象の部分（２１）の表面）につけることも可能である。
したがって、使用者が本考案の男性用性機能リハビリ装置を着用して状態でスイッチ（１１）を作動させると、男性の着用部位の下で円筒形象の部分（２１）に含まれているカプセル部分（１０）が震動するようになる。これによって、上記カプセル部分（１０）の震動によって男性の局部の上皮組職が刺激を受けるようになり、このような刺激から退化した男性の交感神経をリハビリすることになる。それだけではなく、輪の部分が（２２）は男性の局部を圧迫することで早漏現象を防ぐため、事前に早漏症も治療することができる。
以下、図３及び図４を参照しながらカプセル部（１０）を説明する。
カプセル部（１０）は、図面でわかるように外部表面からの経路（１２ａ）に付いたＯＮ／ＯＦＦするスイッチ（１１）を備え、全体的には円筒形象でかつ、両端部（１３）が湾曲した構造を持っている。また両端部（１３）には陷沒部（１３ａ）が形成されている。両端部（１８）の湾曲した構造により、本体（２０）の円筒形象の部分（２１）へカプセル部分（１０）を入れやすくなる。そして陷沒部（１３ａ）によって、カプセル部（１０）が円筒形象の部分（２１）内で固定される。例えば、円筒形象の部分（２１）の内部に突起を作ってカプセル部分（１０）を入れた時にこの突起が陷沒部（１３ａ）にはまるようにすれば、カプセル部（１０）は円筒形象の部分（２１）の内部にしっかり固定することができる。
このような構成のカプセル部分（１０）は、図４に表されているように、上部（１４）と下部（１５）に分離されるが、上部（１４）の接合用の突起（１４ａ）及びくぼみ（１４ｂ）が下部の接合用のくぼみ（１５ａ）及び突起（１５ｂ）に挿入され一体化される。
一方、カプセル部分（１０）の内部にはバイブレータ（１６）と、電池（１７）、コンタクト（１８）及びモーター（１９）が内蔵されている。スイッチ（１１）動作によりコンタクト（１８）を通してモーター（１９）へ電池（１７）の電源が供給され、モーター（１９）が回転しバイブレータ（１６）を震動させる。このようなバイブレータ（１６）の震動はカプセル部（１０）の表面（１２）と収容部（２１）の表面を通じて使用者に伝わる。このようなスイッチ動作によってバイブレータを震動させる構造を、弊社は多様な形態の製品に応用していくことも当然考えている。
【図面の簡単な説明】
【０００７】
【図１】本考案の男性用性機能リハビリ装置の図面
【図２】カプセルが除去された状態の図面
【図３】カプセルの図面
【図４】上部ケースが取れた状態のカプセル図面
【符号の説明】
【０００８】１０：カプセル部，                      １１：スイッチ，
１６：震動部（バイブレータ）            １７：電池，
１８：コンタクト，                      ２０：本体
２１：円筒形象の部分                    ２２：輪
２１ａ：突起，
【図１】
0003112643.tif 000003
【図２】
0003112643.tif 000004
【図３】
0003112643.tif 000005
【図４】
0003112643.tif 000006